(57)【要約】  【課題】  オートフォーカス機能付カメラモジュール１０とモジュール用コネクタ３０の接続構造において、モータ信号用端子１３、１３とプリント配線基板の接続にワイヤやFPCを不要とするとともに、半田接続作業を不要とすること。  【解決手段】  カメラ信号用接触端子が設けられたモジュール基台１１と、側面から外へ出るモータ信号用端子１３が設けられたモジュール本体１２とを有するオートフォーカス機能付カメラモジュール１０と、このオートフォーカス機能付カメラモジュール１０を組み込むための組込凹部３６を有するモジュール用コネクタ３０との接続構造であって、モジュール用コネクタ３０にモータ信号用コンタクト３５５を設け、モータ信号用端子１３、１３に、オートフォーカス機能付カメラモジュール１０の組込凹部３６への組込時にモータ信号用コンタクト３５の接触部５６、５６と接触する接触部１５を形成する。【選択図】  図１
2006134696.tif 000002
【特許請求の範囲】
【請求項１】
カメラとモータを内蔵し、カメラ信号用接触端子とモータ信号用端子（１３，１３ａ、１３ｂ）が設けられたオートフォーカス機能付カメラモジュール（１０，１０ａ、１０ｂ）と、このオートフォーカス機能付カメラモジュール（１０，１０ａ、１０ｂ）を組み込むための組込凹部（３６）を有し、この組込凹部（３６）にオートフォーカス機能付カメラモジュール（１０，１０ａ、１０ｂ）を組み込んだ時に前記カメラ信号用接触端子と接触するカメラ信号用コンタクト（３２，３３）が設けられたモジュール用コネクタ（３０，３０ａ，３０ｂ）との接続構造であって、モジュール用コネクタ（３０，３０ａ，３０ｂ）にモータ信号用コンタクト（３５，３５ａ，３５ｂ）を設け、モータ信号用端子（１３，１３ａ，１３ｂ）に、オートフォーカス機能付カメラモジュール（１０，１０ａ，１０ｂ）を組込凹部（３６）に組み込んだ時にモータ信号用コンタクト（３５，３５ａ，３５ｂ）と接触する接触部（１５，１５ａ，１５b）を形成したことを特徴とするオートフォーカス機能付カメラモジュール（１０，１０ａ、１０ｂ）とモジュール用コネクタ（３０，３０ａ、３０ｂ）の接続構造。
【請求項２】
オートフォーカス機能付カメラモジュール（１０，１０ａ、１０ｂ）は、側面又は底面にカメラ信号用接触端子が設けられたモジュール基台（１１）と、このモジュール基台（１１）の上部に設けられたモジュール本体（１２）とを具備し、モジュール本体（１２）内にカメラとモータを内蔵するとともにモジュール本体（１２）の側面から外へモータ信号用端子（１３，１３ａ、１３ｂ）を出したことを特徴とする請求項１記載のオートフォーカス機能付カメラモジュール（１０，１０ａ、１０ｂ）とモジュール用コネクタ（３０，３０ａ、３０ｂ）の接続構造。
【請求項３】
モータ信号用コンタクト（３５）は、その接触部（５６，５６）が組込凹部（３６）とは別にモジュール用コネクタ（３０）に形成された端子挿入凹部（４９）内に突設し、モータ信号用端子（１３）は、モジュール本体（１２）の側面から外へ出て下方へ折曲し、その接触部（１５）がオートフォーカス機能付カメラモジュール（１０）の組込凹部（３６）への組み込み時にモータ信号用コンタクト（３５）の接触部（５６，５６）と接触する位置に形成されていることを特徴とする請求項２記載のオートフォーカス機能付カメラモジュール（１０）とモジュール用コネクタ（３０）の接続構造。
【請求項４】
モータ信号用コンタクト（３５ａ）は、その接触部（５６ａ）が、組込凹部（３６）の内側面から内側へ突設し、モータ信号用端子（１３ａ）は、モジュール本体（１２）の側面から外へ出て下方へ折曲し、その接触部（１５ａ）がオートフォーカス機能付カメラモジュール（１０）の組込凹部（３６）への組み込み時にモータ信号用コンタクト（３５ａ）の接触部（５６ａ）と接触する位置に形成されていることを特徴とする請求項２記載のオートフォーカス機能付カメラモジュール（１０ａ）とモジュール用コネクタ（３０ａ）の接続構造。
【請求項５】
モータ信号用コンタクト（３５ｂ）は、その接触部（５６ｂ）が組込凹部（３６ｂ）の内底面から内側へ突設し、モータ信号用端子（１３ｂ）は、モジュール本体（１２）の側面から外へ出て下方へ折曲後、モジュール基台（１１）の側面から底面側へ折曲し、その接触部（１５ｂ）がオートフォーカス機能付カメラモジュール（１０ｂ）の組込凹部（３６ｂ）への組み込み時にモータ信号用コンタクト（３５ｂ）の接触部（５６ｂ）と接触する位置に形成されていることを特徴とする請求項２記載のオートフォーカス機能付カメラモジュール（１０ｂ）とモジュール用コネクタ（３０ｂ）の接続構造。
【発明の詳細な説明】
【技術分野】
【０００１】
本発明は、オートフォーカス機能付カメラモジュールと、このモジュールを組み込むための組込凹部を有するモジュール用コネクタとの接続構造に関するものである。
【背景技術】
【０００２】
近年、カメラ付き携帯電話機の普及が著しく、オートフォーカスや露出調整などの多機能化が求められている。カメラ付き携帯電話機に実装されるカメラモジュール１００には図７（ａ）（ｂ）（ｃ）に示すようなものが知られ、このモジュール１００をプリント配線基板に電気的に接続するモジュール用コネクタ１１０には図８（ａ）（ｂ）に示すようなものが知られている。
すなわち、カメラモジュール１００はカメラモジュール本体部１０１とレンズ部１０２からなり、カメラモジュール本体部１０１の底面に複数の接触パット１０３，１０３・・・、１０５，１０５・・・が左右２列に形成されている。
また、モジュール用コネクタ１１０は上方を開口した組込凹部１１１を有する箱状に形成され、底板１１２の上面には中央近傍から左右内側面まで延びる左右２列の複数のコンタクト収容溝１１３，１１３，・・・、１１５，１１５，・・・が平行に形成され、これらのコンタクト収容溝１１３，１１３，・・・、１１５，１１５，・・・にはコンタクトピン１１６，１１６，・・・、１１７，１１７，・・・が配設されている。
そして、カメラモジュール１００を組込凹１１１内に組み込むと、接触パッド１０３，１０３・・・、１０５，１０５，・・・がコンタクトピン１１６，１１６，・・・、１１７，１１７，・・・の接触部に弾性接触し、カメラモジュール１００のカメラ信号（映像信号）は、接触パッド１０３，１０３・・・、１０５，１０５・・・を経、コンタクトピン１１６，１１６，・・・、１１７，１１７，・・・を介してプリント配線基板に伝達される。（特許文献１）。
【０００３】
オートフォーカス機能付カメラモジュール２００には、図９に示すようなモジュール基台（又はベースともいう）２０１と、このモジュール基台２０１の上に設けられたモジュール用本体（又はバレルともいう）２０２とを具備するものが知られているが、モジュール基台２０１にはＩＣ（集積回路）等を実装した基板が内蔵され、モジュール本体２０２にはカメラやモータが内蔵されているため、小型化（例えば外形サイズ１５ｍｍ×１５ｍｍ×９ｍｍ）の要請もあってモータ信号用端子２０３、２０３をカメラ信号用端子（図示省略）と同じモジュール基台２０１から出すことができず、モジュール本体２０２の側面から外へ出していた。
このため、モータ信号用端子２０３，２０３は、モジュール用コネクタとは別に、電線やＦＰＣ（フレキシブルプリント配線基板）を用いて個別にプリント配線基板と接続していた。
【特許文献１】特開２００４−６３４２５
【発明の開示】
【発明が解決しようとする課題】
【０００４】
しかしながら、図９に示したオートフォーカス機能付カメラモジュールをプリント配線基板と電気的に接続する場合、カメラ信号についてはモジュール用コネクタを用いてプリント配線基板に伝達できるが、モータ信号については、モジュール用コネクタとは別に、ワイヤやＦＰＣを用いて個別にプリント配線基板と接続しなければならないので、モジュール用コネクタの他にワイヤやＦＰＣが必要になるとともに、半田等によるモータ信号用端子２０３、２０３との接続作業が必要になるという問題点があった。   
【０００５】
本発明は上述の問題点を鑑みなされたもので、モータ信号用端子とプリント配線基板の接続にワイヤやＦＰＣを不要とするとともに、半田等による接続作業を不要とすることのできるオートフォーカス機能付カメラモジュールとモジュール用コネクタの接続構造を提供することを目的とするものである。  
【課題を解決するための手段】
【０００６】
請求項１記載の発明は、カメラとモータを内蔵し、カメラ信号用接触端子とモータ信号用端子が設けられたオートフォーカス機能付カメラモジュールと、このオートフォーカス機能付カメラモジュールを組み込むための組込凹部を有し、この組込凹部に前記オートフォーカス機能付カメラモジュールを組み込んだ時に前記カメラ信号用接触端子と接触するカメラ信号用コンタクトが設けられたモジュール用コネクタとの接続構造であって、前記モジュール用コネクタにモータ信号用コンタクトを設け、前記モータ信号用端子に、前記オートフォーカス機能付カメラモジュールを前記組込凹部に組み込んだ時に前記モータ信号用コンタクトと接触する接触部を形成したことを特徴とする。
【０００７】
請求項２記載の発明は、請求項１記載の発明において、前記オートフォーカス機能付カメラモジュールは、側面又は底面にカメラ信号用接触端子が設けられたモジュール基台と、このモジュール基台の上部に設けられたモジュール本体とを具備し、前記モジュール本体内にカメラとモータを内蔵するとともに前記モジュール本体の側面から外へ前記モータ信号用端子を出したことを特徴とする。
【０００８】
請求項３記載の発明は、請求項２記載の発明において、前記モータ信号用コンタクトは、その接触部が前記組込凹部とは別に前記モジュール用コネクタに形成された端子挿入凹部内に突設し、前記モータ信号用端子は、前記モジュール本体の側面から外へ出て下方へ折曲し、その接触部が前記オートフォーカス機能付カメラモジュールの、前記組込凹部への組み込み時に前記モータ信号用コンタクトの接触部と接触する位置に形成されていることを特徴とする。
【０００９】
請求項４記載の発明は、請求項２記載の発明において、前記モータ信号用コンタクトは、その接触部が前記組込凹部の内側面から内側へ突設し、前記モータ信号用端子は、前記モジュール本体の側面から外へ出て下方へ折曲し、その接触部が前記オートフォーカス機能付カメラモジュールの前記組込凹部へ組み込み時に前記モータ信号用コンタクトの接触部と接触する位置に形成されていることを特徴とする。
【００１０】
請求項５記載の発明は、請求項２記載の発明において、前記モータ信号用コンタクトは、その接触部が前記組込凹部の内底面から内側へ突設し、前記モータ信号用端子は、前記モジュール本体の側面から外へ出て下方へ折曲後、前記モジュール基台の側面から底面側へ折曲し、その接触部が前記オートフォーカス機能付カメラモジュールの前記組込凹部への組みみ込時に前記モータ信号用コンタクトの接触部と接触する位置に形成されていることを特徴とする。  
【発明の効果】
【００１１】
請求項１記載の発明は、モータ信号用端子が設けられたオートフォーカス機能付カメラモジュールと、このオートフォーカス機能付カメラモジュールを組み込むための組込凹部を有するモジュール用コネクタとの接続構造において、モジュール用コネクタにモータ信号用コンタクトを設け、モータ信号用端子に、オートフォーカス機能付カメラモジュールの組込凹部への組み込み時にモータ信号用コンタクトと接触する接触部を形成したので、カメラ信号用接触端子とプリント配線基板の接続にワイヤやＦＰＣを不要とすることができるとともに、半田等による接続作業を不要とすることができ、作業性を向上させることができる。  
【００１２】
請求項２記載の発明は、請求項１記載の発明において、オートフォーカス機能付カメラモジュールを、側面又は底面にカメラ信号用接触端子が設けられたモジュール基台と、このモジュール基台の上部に設けられたモジュール本体とで構成し、モジュール本体内にカメラとモータを内蔵するとともにモジュール本体の側面から外へモータ信号用端子を出す構成としたので、オートフォーカス機能付カメラモジュールとモジュール用コネクタの構成を簡単にすることが出来る。例えば、汎用のオートフォーカス機能付カメラモジュールやモジュール用コネクタに若干の構成要素を付加するだけで、本発明のオートフォーカス機能付カメラモジュールとモジュール用コネクタを構成することが出来る。  
【００１３】
請求項３記載の発明は、請求項２記載の発明において、モータ信号用コンタクトの接触部を組込凹部とは別の端子挿入凹部内に突設し、モータ信号用端子の接触部をオートフォーカス機能付カメラモジュールの組込凹部への組み込み時にモータ信号用コンタクトの接触部と接触する位置に形成したので、モジュール用コネクタにおけるカメラ信号用コンタクトとモータ信号用コンタクトの配置位置の自由度を上げて設計の自由度を向上させることができる。
【００１４】
請求項４記載の発明は、請求項２記載の発明において、モータ信号用コンタクトの接触部を組込凹部の内側面から内側へ突設し、モータ信号用端子の接触部をオートフォーカス機能付カメラモジュールの組込凹部への組み込み時にモータ信号用コンタクトの接触部と接触する位置に形成したので、モジュール用コネクタにモータ信号用端子用の端子挿入凹部などを設ける必要がなく、モジュール用コネクタの小型化を図ることができる。
【００１５】
請求項５記載の発明は、請求項２記載の発明において、モータ信号用コンタクトの接触部を組込凹部の内底面から内側へ突設し、モータ信号用端子の接触部をオートフォーカス機能付カメラモジュールの組込凹部への組み込み時にモータ信号用コンタクトの接触部と接触する位置に形成したので、モジュール用コネクタにモータ信号用端子用の端子挿入凹部などを設ける必要がなく、モジュール用コネクタの小型化を図ることができる。
【実施例】
【００１６】
図１及び図２は本発明の第１実施例を示すもので、これらの図において１０はオートフォーカス機能付カメラモジュール（以下、単にカメラモジュールと記述することあり。）、３０はモジュール用コネクタである。
【００１７】
カメラモジュール１０は、図９に示したオートフォーカス機能付カメラモジュール２００と同様の、モジュール基台１１と、このモジュール基台１１の上に設けられたモジュール本体１２とを具備し、モジュール基台１１にはＩＣ等を実装した基板が内蔵され、モジュール本体１２にはカメラやモータ（例えばステッピングモータ）が内蔵されている。
モジュール基台１１の底面には、図７に示したカメラモジュール１００と同様の接触パッド（カメラ信号用接触端子、図示省略）が左右２列形成されている。
モジュール本体１２の側面には、図９のオートフォーカス機能付カメラモジュール２００と略同様にモータ信号用端子１３、１３が突出しているが、このモータ信号用端子１３、１３が下方へ折曲して先端側に接触部１５、１５が形成されている点がオートフォーカス機能付カメラモジュール２００と相違している。
なお、図１では、モータ信号用端子１３は横断面が円形の丸ピンコンタクトとしたが、これに限るものでなく、例えば横断面が矩形の角ピンコンタクトの場合についても利用できる。
【００１８】
モジュール用コネクタ３０は、ハウジング３１と、このハウジング３１に収容保持された複数のカメラ信号用コンタクト３２、３３及びモータ信号用コンタクト３５とからなっている。
ハウジング３１は、絶縁合成樹脂で成形されたもので、図１（ａ）、図２（ａ）（ｂ）に示すように、上方を開口した組込凹部３６を有する箱状に形成されている。ハウジング３１の底板３７の上面には、左右２列に複数のコンタクト収容溝３８，３８，・・・、３９，３９，・・・が平行に形成され、これらのコンタクト収容溝３８，３８，・・・、３９，３９，・・・には、カメラ信号用コンタクト３２，３２，・・・、３３，３３，・・・が収容保持され、これらのコンタクト３２，３２，・・・、３３，３３，・・・は、その接触部４１，４１，・・・、４２，４２，・・・が組込凹部３６内に突出し、その接続部４３，４３，・・・、４５，４５，・・・が外部に突出している。
【００１９】
ハウジング３１のコンタクト収容溝３８、３９と平行な側板４７、４８の一方４７には、上方を開口して横断面が円形の端子挿入凹部４９、４９が形成され、この端子挿入凹部４９、４９には、コンタクト挿入口５１、５１から挿入されたモータ信号用コンタクト３５、３５が収容保持されている。
コンタクト挿入口５１、５１は、ハウジング３１の側板４７の下部と側部にまたがって開口している。
モータ信号用コンタクト３５は、導電性金属薄板の打ち抜き、折り曲げ加工で形成され、一対の弾性変形可能な接触片５２、５２と、両者を連結する連結片５３と、連結片５３に連設された接続片５５とを具備し、接触片５２、５２の基端部には係止突起（図示省略）が形成され、先端部には、弧状に折曲した接触部５６、５６が形成され、接続片５５の先端部には接続部５７、５７が形成されている。
【００２０】
図１（ｂ）を併用して、第１実施例におけるカメラモジュール１０とモジュール用コネクタ３０の接続について説明する。
（１）カメラモジュール１０との接続に先立ち、モジュール用コネクタ３０は、そのコンタクト３２，・・・、３３，・・・、３５，３５・・・の接続部４３，・・・、４５，・・・、５７、５７が、リフロー装置等を用いてプリント配線基板（図示省略）の対応する接続部（例えば接続パッド）に半田接続され、コンタクト３２，・・・、３３，・・・、３５、３５がプリント配線基板の対応する回路パターンと電気的に接続される。
【００２１】
（２）ついで、図１（ｂ）に示すようにカメラモジュール１０をモジュール用コネクタ３０の組込凹部３６に組み込むと、モジュール基台１１の底面に露出するカメラ信号用端子の接触部（例えば接触パッド、図示省略）がカメラ信号用コンタクト３２，・・・、３３，・・・の接触部４１，・・・、４２，・・・と弾性接触するとともに、モータ信号用端子１３、１３の接触部１５、１５がモータ信号用コンタクト３５、３５の対となる接触片５２，５２、５２，５２の間に弾性に抗して挿入され、接触部５６，５６、５６，５６と弾性接触する。
このため、カメラモジュール１０のモータ信号用端子１３、１３は、モジュール用コネクタ３０のモータ信号用コンタクト３５、３５を介してプリント配線基板の対応する回路パターンと電気的に接続され、従来のようなワイヤやＦＰＣによる接続を不要とし、半田等による接続作業を不要とすることができる。
また、カメラモジュール１０のカメラ信号用端子は、従来例と同様にモジュール用コネクタ３０のカメラ信号用コンタクト３２，・・・、３３，・・・、を介してプリント配線基板の対応する回路パターンと電気的に接続される。
【００２２】
図３及び図４は、本発明の第２実施例を示すもので、１０ａはカメラモジュール、３０ａはモジュール用コネクタである。
カメラモジュール１０ａは、モータ信号用端子１３ａ、１３ａが細幅帯状導体片の折曲によって図３（ａ）に示すように形成され、その一部がモジュール基台１１の側壁に埋設され、接触部１５ａ、１５ａの表面がモジュール基台１１の外壁面に露出している点を除いて、図１のカメラモジュール１０と略同様に形成されている。
【００２３】
モジュール用コネクタ３０ａは、モータ信号用コンタクト３５ａ、３５ａが細幅帯状導体片を折曲して図３（ｂ）、図４に示すように形成され、コンタクト収容部５９、５９に収容保持され、弾性変形可能な接触片５２ａ、５２ａと、取付片６１、６１と、接続片５５ａ、５５ａとを具備し、接触片５２ａ、５２ａの先端部に形成された接触部５６ａ、５６ａが、ハウジング３１の側板の内壁面から組込凹部３６内に突出するように形成されている点と、端子挿入凹部４９、４９を具備しない点を除いて、図１（ｂ）、図２のモジュール用コネクタ３０と略同様に形成されている。
【００２４】
つぎに、図３（ｂ）を併用して、第２実施例におけるカメラモジュール１０ａとモジュール用コネクタ３０ａの接続について説明する。
（１）カメラモジュール１０ａとの接続に先立ち、モジュール用コネクタ３０ａは、そのコンタクト３２，・・・、３３，・・・、３５ａ、３５ａの接続部４３，・・・、４５，・・・、５７ａ，５７ａがプリント配線基板の接続部に半田接続され、コンタクト３２，・・・、３３，・・・、３５ａ  、３５ａがプリント配線基板の対応する回路パターンと電気的に接続される。
【００２５】
（２）ついで、図３（ｂ）に示すようにカメラモジュール１０ａ  をモジュール用コネクタ３０ａの組込凹部３６に組み込むと、モータ信号用端子１３ａ、１３ａの接触部１５ａ、１５ａがモータ信号用コンタクト３５ａ、３５ａの接触部５６ａ、５６ａと弾性接触し、カメラモジュール１０ａのモータ信号用端子１３ａ、１３ａがコンタクト３５ａ、３５ａを介してプリント配線基板の対応する回路パターンと電気的に接続される。
カメラモジュール１０ａのカメラ信号用端子は、図１の場合と同様に、コンタクト３２，・・・、３３，・・・、を介してプリント配線基板の対応する回路パターンと電気的に接続される。
【００２６】
図５及び図６は、本発明の第３実施例を示すもので、１０ｂはカメラモジュール、３０ｂはモジュール用コネクタである。
カメラモジュール１０ｂは、モータ信号用端子１３ｂ、１３ｂが細幅帯状導体片の折曲によって図５（ａ）に示すように形成され、その一部がモジュール基台１１の側壁から底壁にまたがって埋設され、接触部１５ｂ、１５ｂの表面がモジュール基台１１の底壁の外側面に露出している点を除いて、図３のカメラモジュール１０ａと略同様に形成されている。
【００２７】
モジュール用コネクタ３０ｂは、モータ信号用コンタクト３５ｂ、３５ｂが細幅帯状導体片を折曲して図５（ｂ）、図６に示すように形成され、コンタクト収容部６２、６２に収容保持され、弾性変形可能な接触片５２ｂ、５２ｂと、取付片６３、６３と、接続片５５ｂ、５５ｂとを具備し、接触片５２ｂ、５２ｂの先端部に形成された接触部５６ｂ、５６ｂが、ハウジング３１の底板の内側面から組込凹部３６内に突出するように形成されている点を除いて、図３（ｂ）、図４のモジュール用コネクタ３０ａと略同様に形成されている。
【００２８】
つぎに、図５（ｂ）を併用して、第３実施例におけるカメラモジュール１０ｂとモジュール用コネクタ３０ｂの接続について説明する。
（１）カメラモジュール１０ｂとの接続に先立ち、モジュール用コネクタ３０ｂは、そのコンタクト３２，・・・、３３，・・・、３５ｂ、３５ｂの接続部４３，・・・、４５，・・・、５７ｂ，５７ｂがプリント配線基板の接続部に半田接続され、コンタクト３２，・・・、３３，・・・、３５ｂ  、３５ｂがプリント配線基板の対応する回路パターンと電気的に接続される。
【００２９】
（２）ついで、図５（ｂ）に示すようにカメラモジュール１０ｂをモジュール用コネクタ３０ｂの組込凹部３６に組み込むと、モータ信号用端子１３ｂ、１３ｂの接触部１５ｂ、１５ｂがモータ信号用コンタクト３５ｂ、３５ｂの接触部５６ｂ、５６ｂと弾性接触し、カメラモジュール１０ｂのモータ信号用端子１３ｂ、１３ｂがコンタクト３５ｂ、３５ｂを介してプリント配線基板の対応する回路パターンと電気的に接続される。  
カメラモジュール１０ｂのカメラ信号用端子は、図１の場合と同様に、コンタクト３２，・・・、３３，・・・、を介してプリント配線基板の対応する回路パターンと電気的に接続される。
【００３０】
前記第１、第２、第３実施例では、オートフォーカス機能付カメラモジュールとモジュール用コネクタの構成を簡単にするために、オートフォーカス機能付カメラモジュールがモジュール基台とモジュール本体を具備し、モジュール本体内にカメラとモータとを内蔵する構成としたが、本発明はこれに限るものでなく、カメラとモータを内蔵し、カメラ信号用接触端子とモータ信号用端子が設けられたオートフォーカス機能付カメラモジュールと、このオートフォーカス機能付カメラモジュールを組み込むための組込凹部を有し、この組込凹部にオートフォーカス機能付カメラモジュールを組み込んだ時にカメラ信号用接触端子と接触するカメラ信号用コンタクトが設けられたモジュール用コネクタとの接続構造であって、モジュール用コネクタにモータ信号用コンタクトを設け、モータ信号用端子に、オートフォーカス機能付カメラモジュールを組込凹部に組み込んだ時にモータ信号用コンタクトと接触する接触部を形成したものに利用することが出来る。
【図面の簡単な説明】
【００３１】
【図１】本発明の第一実施例を示すもので、（ａ）はオートフォーカス機能付カメラモジュール１０の斜視図、（ｂ）はモジュール用コネクタ３０の断面図（図２（ａ）のａーａ線断面図に相当する。）である。
【図２】図１（ｂ）のモジュール用コネクタ３０を示すもので、（ａ）は平面図、（ｂ）は（ａ）のＢーＢ線断面図である。
【図３】本発明の第２実施例を示すもので、（ａ）はオートフォーカス機能付カメラモジュール１０ａの斜視図、（ｂ）はモジュール用コネクタ３０ａの断面図（図４のａーａ線断面図に相当する）である。
【図４】図３（ｂ）のモジュール用コネクタ３０ａを示す平面図である。
【図５】本発明の第３実施例を示すもので、（ａ）はオートフォーカス機能付カメラモジュール１０ｂの斜視図、（ｂ）はモジュール用コネクタ３０ｂ断面図（図６のａーａ線断面図に相当する。）である。
【図６】図５（ｂ）のモジュール用コネクタ３０ｂを示す平面図である。
【図７】従来のカメラモジュールを示すもので、（ａ）は平面図、（ｂ）は正面図、（ｃ）は底面図である。
【図８】カメラモジュール用コネクタを示すもので、（ａ）は平面図、（ｂ）は正面図である。
【図９】従来のオートフォーカス機能付カメラモジュールを示す斜視図である。
【符号の説明】
【００３２】
１０、１０ａ、１０ｂ…オートフォーカス機能付カメラモジュール       
１１…モジュール基台  
１２…モジュール本体     
１３、１３ａ、１３ｂ…モータ信号用端子   
１５、１５ａ、１５ｂ…モータ信号用端子１３、１３ａ、１３ｂの接触部         
３０、３０ａ、３０ｂ…モジュール用コネクタ
３５、３５ａ、３５ｂ…モータ信号用コンタクト
３６…組込凹部
４９…端子挿入凹部  
５６、５６ａ、５６ｂ…モータ信号用コンタクト３５、３５ａ、３５ｂの接触部
【図１】
2006134696.tif 000003
【図２】
2006134696.tif 000004
【図３】
2006134696.tif 000005
【図４】
2006134696.tif 000006
【図５】
2006134696.tif 000007
【図６】
2006134696.tif 000008
【図７】
2006134696.tif 000009
【図８】
2006134696.tif 000010
【図９】
2006134696.tif 000011